【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
水平面に対して立てて用いられる液晶表示装置であって、
液晶表示パネルと、この液晶表示パネルの背面に配置されるバックライトとを有し、
前記バックライトは、前記液晶表示パネルと対向する平面内に並設される複数の光源と、これら光源を収容するフレームと、このフレームの内側に配置される放熱板と、該放熱板の前記液晶表示パネル側の面に配置される反射シートを備え、
前記放熱板は、その上方に相当する部分に、前記フレームに形成された開口を通して該フレームの前記液晶表示パネルと反対側の面へ突出する放熱フィンが形成され、
下方に相当する部分に、前記フレームおよび前記反射シートによって閉塞される開口が形成されていることを特徴とする液晶表示装置。
【請求項２】
放熱板の前記放熱フィンは前記放熱板の一部を起立させて構成され、前記放熱板の起立によって形成される該放熱板の開口に対向する前記フレームの箇所に開口が形成されていることを特徴とする請求項１に記載の液晶表示装置。
【請求項３】
前記フレームはアルミニウムあるいは鉄で構成されていることを特徴とする請求項１に記載の液晶表示装置。
【請求項４】
前記放熱板は前記フレームよりも大きな熱伝導率を有する材料で構成されていることを特徴とする請求項１に記載の液晶表示装置。
【請求項５】
前記放熱フィンは、前記放熱板の上方に相当する部分に複数散在されて設けられていることを特徴とする請求項１に記載の液晶表示装置。
【請求項６】
前記放熱板の下方に相当する部分に形成される前記開口は複数散在されて設けられていることを特徴とする請求項１に記載の液晶表示装置。
【請求項７】
前記放熱フィンは、垂直方向に延在された形状をなすことを特徴とする請求項１に記載の液晶表示装置。
【請求項８】
液晶表示パネルと、前記液晶表示パネルの背面に配置されるバックライトとを有する液晶表示装置であって、
前記バックライトは、フレームと光源と反射シートと矩形状の放熱板とを有し、
前記フレームは、前記光源と前記反射シートと前記放熱板とを収容し、
前記フレームの底面と前記反射シートとの間に、前記放熱板が配置され、
前記放熱板は、第１の辺と前記第１の辺と対向する第２の辺とを有すると共に、前記第１の辺の側に前記第１の辺に沿って形成された複数の第１の開口と、前記第２の辺の側に形成された少なくとも１つの第２の開口とを有し、
前記第１の開口の各々は、前記第１の開口の端部の一部に前記底面の側に突出して形成された第１のフィンを有し、
前記第１のフィンは、前記底面に形成された第１のスリットを貫通して、前記底面の前記放熱板とは反対側に突出し、
前記第２の開口は、前記底面と前記反射シートとによって覆われていることを特徴とする液晶表示装置。
【請求項９】
前記第２の開口は、前記第２の辺に沿って複数個形成されていることを特徴とする請求項８に記載の液晶表示装置。
【請求項１０】
前記放熱板の前記複数の第１の開口と前記第２の開口との間の領域には、前記第１の辺の延在方向に沿って形成された複数の第３の開口が形成され、
前記第３の開口の各々は、前記第３の開口の端部の一部に前記底面の側に突出して形成された第２のフィンを有し、
前記第２のフィンは、前記底面に形成された第２のスリットを貫通して、前記底面の前記放熱板とは反対側に突出していることを特徴とする請求項８又は９に記載の液晶表示装置。
【請求項１１】
前記第１の辺の延在方向における前記第２のフィンの位置は、互いに隣接する前記第１のフィンの間であることを特徴とする請求項１０に記載の液晶表示装置。
【請求項１２】
前記第１のフィンは、前記第１の辺の延在方向とは異なる方向に延在していることを特徴とする請求項８又は９に記載の液晶表示装置。
【請求項１３】
前記第２のフィンは、前記第１の辺の延在方向とは異なる方向に延在していることを特徴とする請求項１０又は１１に記載の液晶表示装置。
【請求項１４】
前記第２のスリットは、前記複数の第３の開口の各々に対向して、複数個形成されていることを特徴とする請求項１０，１１又は１３に記載の液晶表示装置。
【請求項１５】
前記第２のスリットは、前記複数の第１の開口の各々に対向して、複数個形成されていることを特徴とする請求項８，９，１０，１１，１２，１３又は１４に記載の液晶表示装置。
【手続補正２】
【補正対象書類名】明細書
【補正対象項目名】００１５
【補正方法】変更
【補正の内容】
【００１５】
（２）本発明による液晶表示装置は、たとえば、（１）の構成を前提とし、放熱板の前記放熱フィンは前記放熱板の一部を起立させて構成され、前記放熱板の起立によって形成される該放熱板の開口に対向する前記フレームの箇所に開口が形成されていることを特徴とする。
（３）本発明による液晶表示装置は、たとえば、（１）の構成を前提とし、前記フレームはアルミニウムあるいは鉄で構成されていることを特徴とする。
（４）本発明による液晶表示装置は、たとえば、（１）の構成を前提とし、前記放熱板は前記フレームよりも大きな熱伝導率を有する材料で構成されていることを特徴とする。
【手続補正３】
【補正対象書類名】明細書
【補正対象項目名】００１６
【補正方法】変更
【補正の内容】
【００１６】
（５）本発明による液晶表示装置は、たとえば、（１）の構成を前提とし、  前記放熱フィンは、前記放熱板の上方に相当する部分に複数散在されて設けられていることを特徴とする。
（６）本発明による液晶表示装置は、たとえば、（１）の構成を前提とし、  前記放熱板の下方に相当する部分に形成される前記開口は複数散在されて設けられていることを特徴とする。
（７）本発明による液晶表示装置は、たとえば、（１）の構成を前提とし、  前記放熱フィンは、それを放熱板に対して平面的に観た場合、垂直方向に延在された形状をなすことを特徴とする。
【手続補正４】
【補正対象書類名】明細書
【補正対象項目名】００１７
【補正方法】変更
【補正の内容】
【００１７】
（８）本発明による液晶表示装置は、たとえば、液晶表示パネルと、前記液晶表示パネルの背面に配置されるバックライトとを有する液晶表示装置であって、
前記バックライトは、フレームと光源と反射シートと矩形状の放熱板とを有し、
前記フレームは、前記光源と前記反射シートと前記放熱板とを収容し、
前記フレームの底面と前記反射シートとの間に、前記放熱板が配置され、
前記放熱板は、第１の辺と前記第１の辺と対向する第２の辺とを有すると共に、前記第１の辺の側に前記第１の辺に沿って形成された複数の第１の開口と、前記第２の辺の側に形成された少なくとも１つの第２の開口とを有し、
前記第１の開口の各々は、前記第１の開口の端部の一部に前記底面の側に突出して形成された第１のフィンを有し、
前記第１のフィンは、前記底面に形成された第１のスリットを貫通して、前記底面の前記放熱板とは反対側に突出し、
前記第２の開口は、前記底面と前記反射シートとによって覆われていることを特徴とする。
【手続補正５】
【補正対象書類名】明細書
【補正対象項目名】００１８
【補正方法】変更
【補正の内容】
【００１８】
（９）本発明による液晶表示装置は、たとえば、（８）の構成を前提とし、前記第２の開口は、前記第２の辺に沿って複数個形成されていることを特徴とする。
（１０）本発明による液晶表示装置は、たとえば、（８）又は（９）の構成を前提とし、前記放熱板の前記複数の第１の開口と前記第２の開口との間の領域には、前記第１の辺の延在方向に沿って形成された複数の第３の開口が形成され、
前記第３の開口の各々は、前記第３の開口の端部の一部に前記底面の側に突出して形成された第２のフィンを有し、
前記第２のフィンは、前記底面に形成された第２のスリットを貫通して、前記底面の前記放熱板とは反対側に突出していることを特徴とする。
【手続補正６】
【補正対象書類名】明細書
【補正対象項目名】００１９
【補正方法】変更
【補正の内容】
【００１９】
（１１）本発明による液晶表示装置は、たとえば、（１０）の構成を前提とし、前記第１の辺の延在方向における前記第２のフィンの位置は、互いに隣接する前記第１のフィンの間であることを特徴とする。
（１２）本発明による液晶表示装置は、たとえば、（８）又は（９）の構成を前提とし、前記第１のフィンは、前記第１の辺の延在方向とは異なる方向に延在していることを特徴とする。
（１３）本発明による液晶表示装置は、たとえば、（１０）又は（１１）の構成を前提とし、前記第２のフィンは、前記第１の辺の延在方向とは異なる方向に延在していることを特徴とする。
【手続補正７】
【補正対象書類名】明細書
【補正対象項目名】００２０
【補正方法】変更
【補正の内容】
【００２０】
（１４）本発明による液晶表示装置は、たとえば、（１０），（１１）又は（１３）の構成を前提とし、前記第２のスリットは、前記複数の第３の開口の各々に対向して、複数個形成されていることを特徴とする。
（１５）本発明による液晶表示装置は、たとえば、（８），（９），（１０），（１１），（１２），（１３）又は（１４）の構成を前提とし、前記第１のスリットは、前記複数の第１の開口の各々に対向して、複数個形成されていることを特徴とする。